(57)【特許請求の範囲】
【請求項１】
壁面に沿って固定される板状の連結部材本体の幅方向両側に左右一対の角筒状の保持部を有するとともに、この保持部間に固定具を収容するための収容溝を有し、また前記保持部の外面側には外挿入溝を有する一方、保持部の内面側には内挿入溝を有する連結部材を用いたトンネル構造物における漏水受樋構造であって、
前記連結部材をトンネル構造物の壁面に固定具により所要間隔で平行に固定し、
隣り合う連結部材の対向する外挿入溝に漏水受板の端縁部分を挿入するとともに、この漏水受板が前記保持部にビス止めされた状態として、漏水受板とトンネル構造物の壁面との間に第１の導水路を形成し、
一方、カバー板を裏面側の左右側縁部に堰部が突設されたものとして、このカバー板の両端縁部分を前記対向する内挿入溝にフリーな状態で挿入して前記収容溝を閉蓋したうえ、カバー板と堰部とトンネル構造物の壁面との間に第２の導水路を形成したことを特徴とするトンネル構造物における漏水受樋構造。
【請求項２】
収容溝の側壁面を、壁面に向けて徐々に開口幅が小さくなる傾斜面とした請求項１に記載のトンネル構造物における漏水受樋構造。
【請求項３】
漏水受板はシール材とともにビス止めして保持部に取り付けてあり、一方、カバー板はフリーな状態で保持部に取り付けてある請求項１または２に記載のトンネル構造物における漏水受樋構造。
【請求項４】
連結部材本体の裏面に、止水材とシール材が付設してある請求項１〜３のいずれかに記載のトンネル構造物における漏水受樋構造。
【発明の詳細な説明】
【技術分野】
【０００１】
本発明は、隧道や地下道等のトンネル構造物における漏水受樋構造に関するものである。
【背景技術】
【０００２】
コンクリートその他の材料でライニングされた隧道や地下道等のトンネル構造物においては、外圧により内壁面に亀裂が入ることがある。また、ライニングの接合個所の施工が不十分であったり、コンクリートの伸縮により該接合個所に隙間ができることによって隧道等の内面から水漏れが生ずることもある。
このような場合、従来は亀裂部位や隙間部位にモルタルの吹付施工を施したり、または、水漏れ部分の内面に溝を掘り込んで盲排水溝を設けることによって処理していた。更には、内壁面に樋を張りつけて漏水を導水処理する等の方法も採用されている。しかし、このような工法は水漏れ部位が明確で、かつ集中して水漏れする場合は有効であるが、トンネル構造物の内面で広範囲に亘り水漏れが点在する場合や、全面的に漏水するような場合のトンネル構造物の内面からの水漏れ処理には有効とは言えない。
【０００３】
このような問題点を解決する手段として、特許文献１に示されるような漏水用導水樋が提案されている。しかしながら、この導水樋によるときには、アンカーボルトのネジ軸部分に螺締されたナットが、導水樋の表面側に大きく突出する状態で連結部材の長さ方向に数多く露出状態となり、隧道や地下道等の構造物内部の美観が損なわれるという問題があった。
【０００４】
そこで、図７に示されるように、導水路３０を形成する漏水受板３１の端縁部分を挿入させるための外挿入溝３５と、収容溝３２を閉蓋する硬質合成樹脂製のカバー板３３の両端縁部分を挿入させるための内挿入溝３６を設けた連結部材３４を用い、固定具３７を構成するボルト３７ａやナット３７ｂが収容された状態の収容溝３２が前記カバー板３３で閉蓋されるようにした漏水受樋構造が提案されている（特許文献２を参照）。
しかしながら、特許文献２に示されるものでは、ボルト３７ａ等を伝って落下した水が、少量ではあるがカバー板３３の端縁部分を通過して下へ漏れる現象が生じるという問題のあることが判明した。
【先行技術文献】
【特許文献】
【０００５】
【特許文献１】実開昭６１−１２１３００号公報
【特許文献２】特許第２９１６４０７号公報
【発明の概要】
【発明が解決しようとする課題】
【０００６】
本発明は上記のような問題点を解決して、収容溝をカバー板で閉蓋してボルトやナットの固定具を目隠しすることができ、またボルト等を伝って落下した水がカバー板の端縁部分を通過して下へ漏れるのを確実に防止することができるトンネル構造物における漏水受樋構を提供することを目的とするものである。
【課題を解決するための手段】
【０００７】
上記課題を解決するためになされた本発明のトンネル構造物における漏水受樋構造は、壁面に沿って固定される板状の連結部材本体の幅方向両側に左右一対の角筒状の保持部を有するとともに、この保持部間に固定具を収容するための収容溝を有し、また前記保持部の外面側には外挿入溝を有する一方、保持部の内面側には内挿入溝を有する連結部材を用いたトンネル構造物における漏水受樋構造であって、
前記連結部材をトンネル構造物の壁面に固定具により所要間隔で平行に固定し、
隣り合う連結部材の対向する外挿入溝に漏水受板の端縁部分を挿入するとともに、この漏水受板が前記保持部にビス止めされた状態として、漏水受板とトンネル構造物の壁面との間に第１の導水路を形成し、
一方、カバー板を裏面側の左右側縁部に堰部が突設されたものとして、このカバー板の両端縁部分を前記対向する内挿入溝にフリーな状態で挿入して前記収容溝を閉蓋したうえ、カバー板と堰部とトンネル構造物の壁面との間に第２の導水路を形成したことを特徴とするものである。
【０００８】
また、好ましい実施形態によれば、収容溝の側壁面を、壁面に向けて徐々に開口幅が小さくなる傾斜面としたものが好ましい。
【０００９】
また、その他の好ましい実施形態によれば、漏水受板はシール材とともにビス止めして保持部に取り付けてあり、一方、カバー板はフリーな状態で保持部に取り付けてあるものが好ましい。
【００１０】
また、その他の好ましい実施形態によれば、連結部材本体の裏面に、止水材とシール材が付設してあるものが好ましい。
【発明の効果】
【００１１】
請求項１に係る発明では、外挿入溝に漏水受板の端縁部分を挿入するとともに、この漏水受板が保持部にビス止めされた状態で第１の導水路を形成したので、前記漏水受板がしっかりと固定されて丈夫な第１の導水路が形成される。一方、第２の導水路はカバー板の両端縁部分を内挿入溝にフリーな状態で挿入した構造であり、ビス止め等の後工程がなく簡単に形成することができる。また、前記カバー板の裏面側の左右側縁部には堰部が突設されており、ボルト等を伝ってカバー板上へ落下した水は堰部に堰き止められるため、従来のようにカバー板の端縁部分を通過して下へ漏れるのを防止することができる。
【００１２】
前記収容溝の側壁面を、壁面に向けて徐々に開口幅が小さくなる傾斜面としたものでは、固定具の締め付けにより連結部材本体が幅方向に変形を生じるのを防止できるため板厚を薄くでき、またボルトワッシャーを小さくできるという利点がある。更には、ボルトワッシャーが位置決め作用を発揮して組立作業を簡単に行うことができる。
【００１３】
また、前記漏水受板はシール材とともにビス止めして保持部に取り付けてあり、一方、カバー板はフリーな状態で保持部に取り付けてあるものでは、シール材によって第１の導水路の防水性を確保することができる。また、第２の導水路はシール材を用いないため簡単に組み立てることができ、しかもカバー板上へ落下した水は堰部に堰き止められるため漏洩する心配もない。
【００１４】
更に、連結部材本体の裏面に止水材とシール材を付設したものでは、止水材によって連結部材とコンクリート壁面との間隔を保持し、シール材によって防水効果を高めることができる。
【図面の簡単な説明】
【００１５】
【図１】本発明に係る漏水受樋構造を隧道に設けた態様を示す断面図である。
【図２】漏水受樋構造を示す断面図である。
【図３】連結部材を説明する拡大断面図である。
【図４】カバー板を示す斜視図である。
【図５】その他の連結部材を説明する拡大断面図である。
【図６】図１の漏水受樋構造を矢印の方向から見た正面図である。
【図７】従来の漏水受樋構造を示す正面図である。
【発明を実施するための形態】
【００１６】
以下に、図面を参照しつつ本発明の好ましい実施の形態を示す。
図１は、例えば隧道のようなコンクリート製のトンネル構造物１の壁面２に設けられた漏水受樋３を示すものであり、図２は漏水受樋３を示す断面図である。本発明に係る漏水受樋３は、前記壁面２との間で第１の導水路４を形成する硬質合成樹脂製の平板状をなす漏水受板５と、第２の導水路６を形成する硬質合成樹脂製の平板状をなすカバー板７を、連結部材８を介し順次連結して構成されている。
【００１７】
前記連結部材８は、図３に示すように、全体が例えば硬質合成樹脂や金属を以って一体に成形されており、トンネル構造物１の壁面２に沿って長く形成され、固定具９により固定されるものである。また前記連結部材８は、平板状をなす連結部材本体１０の表面部の幅方向両側に、左右一対の角筒状の保持部１１、１１を突設し、この保持部１１、１１間に、前記固定具９を構成するアンカーボルト９ａの飛び出し部分やナット９ｂを収容するための収容溝１２を形成してなるものである。
【００１８】
そして該保持部１１の厚さ方向で見た先端部分の外面側には、前記漏水受板５の端縁部分を挿入させるための外挿入溝１３を、連結部材本体１０の外方に向けて開口するように設けてある。また前記各保持部１１、１１の内面側には、前記収容溝１２を閉蓋する平板状をなす硬質合成樹脂製のカバー板７の両端縁部分を挿入させるための内挿入溝１４を、連結部材本体１０の内方に向けて開口するように、前記外挿入溝１３と背中合わせの状態で設けてある。
【００１９】
前記収容溝１２の側壁面は、壁面２に向けて徐々に開口幅が小さくなる傾斜面１５としてある。従来は、この側壁面は垂直な面であり、固定具９を締め付けたときに幅方向の変形を防止する必要性から、ボルトワッシャー９ｃを大きく、かつ厚みも大きくする必要があったが、本発明では前記傾斜面１５を形成することで幅方向の変形を防止するので、ボルトワッシャー９ｃを小さくすることができる。また、傾斜面１５の最小幅部でボルトワッシャー９ｃを位置決め作用を発揮して組立作業を簡単に行うようにすることができるという利点もある。
【００２０】
また、前記漏水受板５の両端縁部分は保持部１１の外挿入溝１３に挿入されるとともに、ビス１６でビス止めされた状態とされ、漏水受板５とトンネル構造物の壁面２との間に第１の導水路４を形成している。この結果、前記漏水受板５は連結部材８にしっかりと固定されるので落下のおそれがない。
【００２１】
一方、カバー板７の両端縁部分は保持部１１の内挿入溝１４にフリーな状態で挿入され、カバー板７と堰部７ａとトンネル構造物の壁面２（正確には連結部材本体１０）との間に第２の導水路６を形成している。このカバー板７はビス止めされることなくフリーな状態なため、着脱作業を簡単に行うことができる。
図４に示されるように、前記堰部７ａは前記カバー板７の裏面側の左右側縁部に突設されるものであり、これによってボルト９ａ等を伝ってカバー板７上へ落下した水が堰き止められるので、従来のようにカバー板７の端縁部分を通過して下へ漏れるのを防止することができる。
【００２２】
また、前記漏水受板５はシール材１７ａとともにビス止めして保持部１１の外挿入溝１３に挿入された状態で取り付けてある。このシール材１７ａは、例えばクロロプレンの発泡体等の柔軟性の大きい合成樹脂からなり、止水効果が大きいため水漏れを確実に防止することができる。一方、カバー板７の両端縁部分は、前記シール材１７ａを用いることなく保持部１１の内挿入溝１４にフリーな状態で挿入されており、着脱作業の容易化が図られている。
【００２３】
前記連結部材本体１０の裏面には、止水材１８とシール材１７ｂが付設してある。この止水材１８は、例えばポリエチレン発泡体やスポンジ状合成ゴム弾性体等からなるものであり、前記シール材１７ａよりは柔軟性が小さいものである。また、シール材１７ｂは前記シール材１７ａと同じものである。前記止水材１８により壁面２と連結部材本体１０との間隔を保持し、シール材１７ｂにより止水効果を高める構造となっている。
【００２４】
図５は、その他の連結部材８を説明する拡大断面図である。図示のものでは、カバー板７の表面側に膨出面部７ｂが形成されたものとなっており、漏水受板５と面一状態となり見栄えの優れた外観を呈することができる。
【００２５】
次に、前記した連結部材８と漏水受板５とカバー板７とを用いて漏水受樋構造を構成する要領につき説明する。
先ず、図２と図６に示すように、隧道の漏水箇所において、前記連結部材８を隧道の壁面２に密接させ、かつ所要間隔をおいた平行配置状態としたうえで、前記固定具９を用い固定状態とする。この固定は、例えば図３に示すように、例えば壁面２に打入したアンカーボルト９ａのネジ軸部分を、連結部材本体１０に設けたボルト孔に挿通状態とした後、このネジ軸部分にボルトワッシャー９ｃを嵌めてナット９ｂを螺締することにより行うことができる。その際、アンカーボルトのネジ軸部分及びナット９ｂは、前記収容溝１５内に完全に納める必要がある。
【００２６】
前記漏水受板６は、隣り合う連結部材８、８の対向する外挿入溝１３、１３に、クロロプレン発泡体等のシール材１７ａを介在させてその両端縁部分が挿入せしめられ、これにより、前記漏水受板７と壁面２との間で、漏水を導くための第１の導水路４が形成される。前記第１の導水路４は、シール材１７ａや止水材１８により密着させられるので、この第１の導水路４は水漏れの心配がない。
【００２７】
また、前記対向する内挿入溝１４、１４には、カバー板７の両端縁部分が挿入せしめられ、それにより前記アンカーボルト９ａのネジ軸部分やナット９ｂが収容された状態の収容溝１２が前記カバー板７で閉蓋されて、カバー板７と堰部７ａとトンネル構造物の壁面２（正確には連結部材本体１０）との間に第２の導水路６が形成されることになる。この結果、図６に示すように、前記アンカーボルト９ａ等が隠蔽されて美感に優れた外観が得られることとなる。なお、このカバー板１９は、一枚板状のものでも、あるいは、挿入の容易性を考慮して所定長さに分割されたものを用いてもよい。
また、前記カバー板７の裏面側の左右側縁部には堰部７ａが突設されており、ボルト等を伝ってカバー板上へ落下した水は堰部７ａに堰き止められるため、従来のようにカバー板７の端縁部分を通過して下へ漏れるのを防止することとなる。
【００２８】
以上のように、本発明に係る漏水受樋構造によるときは、コンクリート壁面の漏水が広範囲に亘って発生している場合でも、漏水受板５によってこれを幅広く覆うことができるため、漏水箇所の全体を確実に漏水処理することができる。
また、アンカーボルト９ａやナット９ｂ等がカバー板７で覆い隠されることから、従来のようにナット等が露出して構造物内部の美観が損なわれるといった問題が生じない。更には、前記カバー板７の裏面側の左右側縁部には堰部７ａが突設されているので、ボルト等を伝ってカバー板上へ落下した水が堰部７ａに堰き止められ、カバー板７の端縁部分を通過して下へ漏れることもない。
【００２９】
また、前記収容溝１２の側壁面を、壁面２に向けて徐々に開口幅が小さくなる傾斜面１５としたものでは、固定具９の締め付けにより連結部材本体１０が幅方向に変形を生じるのを防止できるという効果があり、この結果、板厚を薄くすることができ、またボルトワッシャー９ｃを小さくできるという利点や、更には、ボルトワッシャー９ｃが位置決め作用を発揮して組立作業を簡単に行うことができるという利点がある。
【００３０】
また、前記漏水受板５はシール材１７ａとともにビス止めして保持部１１に取り付けてあり、一方、カバー板７はフリーな状態で保持部１１に取り付けてあるものでは、シール材１７ａによって第１の導水路４の防水性を確保することができる。更には、第２の導水路６はシール材を用いないため簡単に組み立てることができ、しかもカバー板上へ落下した水は堰部７ａに堰き止められるため漏洩する心配もないという利点もある。
【符号の説明】
【００３１】
１  トンネル構造物
２  壁面
３  漏水受樋
４  第１の導水路
５  漏水受板
６  第２の導水路
７  カバー板
７ａ  堰部
７ｂ  膨出面部
８  連結部材
９  固定具
９ａ  アンカーボルト
９ｂ  ナット
９ｃ  ボルトワッシャー
１０  連結部材本体
１１  保持部
１２  収容溝
１３  外挿入溝
１４  内挿入溝
１５  傾斜面
１６  ビス
１７ａ  シール材
１７ｂ  シール材
１８  止水材
３０  導水路
３１  漏水受板
３２  収容溝
３３  カバー板
３４  連結部材
３５  外挿入溝
３６  内挿入溝
３７  固定具
３７ａ  ボルト
３７ｂ  ナット
【図１】
0006584314.tif 000002
【図２】
0006584314.tif 000003
【図３】
0006584314.tif 000004
【図４】
0006584314.tif 000005
【図５】
0006584314.tif 000006
【図６】
0006584314.tif 000007
【図７】
0006584314.tif 000008